(57)【要約】【課題】ＯＡフロアにおいて、配線の錯綜を防ぐために配線用ガイドを設けるものでは、スペースが制限され、狭くて敷設増に対応しにくい。また配線用ガイドが一段式の場合には、情報配線と電源配線とを分離して敷設することが困難で、上下二段式の場合には、下段に敷設した配線に対してのアクセスが困難であるという問題点が生じる。【解決手段】そこで、本発明では，方形板体２の一面側の四隅に脚用突部３を設けると共に、他面側の四隅に支柱用突部４を設けて支持部材１を構成し、この支持部材を縦横に間隔を置いて配置して、夫々上記脚用突部により方形板体を床スラブ５の上方に支持すると共に、隣接する４つの方形板体の、隣接する４つの隅部の支柱用突部上に夫々のフロアパネル６を載置することにより、フロアパネルを縦横に配置して支持する構成としたフロアパネルの支持機構を提案する。【選択図】図１
2008127972.tif 000002
【特許請求の範囲】
【請求項１】
方形板体の一面側の四隅に脚用突部を設けると共に、他面側の四隅に支柱用突部を設けて支持部材を構成し、この支持部材を縦横に間隔を置いて配置して、夫々上記脚用突部により方形板体を床スラブの上方に支持すると共に、隣接する４つの方形板体の、隣接する４つの隅部の支柱用突部上に夫々のフロアパネルを載置することにより、フロアパネルを縦横に配置して支持する構成としたことを特徴とするフロアパネルの支持機構。
【請求項２】
支持部材は絶縁体により構成したことを特徴とする請求項１に記載のフロアパネルの支持機構。
【発明の詳細な説明】
【技術分野】
【０００１】
本発明は、オフィス等において情報配線と電源配線の床下処理を円滑に行えるＯＡフロア（又はフリーアクセスフロアと称される。）におけるフロアパネルの支持機構に関するものである。
【背景技術】
【０００２】
ＩＴ化が進み、一般オフィス等においては、情報配線と電源配線の床下処理を円滑に行えるＯＡフロアの採用が一般的になってきている。
【０００３】
ＯＡフロアは、フロアパネルを支持部材によって床スラブの上方に支持し、このフロアパネルと床スラブとの間に形成されるスペースに情報配線と電源配線を敷設する構成であるが、例えば特許文献１に示されるように、情報配線と電源配線を混在して敷設するものでは、これらが錯綜して管理がし難く、情報配線と電源配線が近接することによるノイズの問題が生じ易くなる。
【０００４】
このような問題点を解決するために、例えば特許文献２に示されるように、フロアパネルの支持部材の側面に配線整理用パネルを設置して区画したり、又は特許文献３に示されるように、フロアパネルの支持部材間に配線用溝を設置したりして、配線用のガイドを予め形成し、この配線用ガイドに沿って配線を敷設するようにした従来技術がある。そしてこのような従来技術において、配線用のガイドを上下二段式に構成して、情報配線と電源配線を上下に分離する構成としたものもある。
【特許文献１】実開昭６２−７８０３４号公報
【特許文献２】特開平７−２５２９２７号公報
【特許文献３】特開平９−４１６３２号公報
【発明の開示】
【発明が解決しようとする課題】
【０００５】
以上に説明した従来技術において、配線用ガイドを設けるものでは、配線の錯綜という問題点は解決できるが、配線用のスペースが制限されるため、狭くて敷設増に対応しにくいという問題点が生じる。
【０００６】
また配線用ガイドが一段式の場合には、情報配線と電源配線とを分離して敷設することが困難で、近接によるノイズの問題点を完全には解決することができず、また上下二段式の場合には、情報配線と電源配線を上下方向に分離することはできるが、下段に敷設した配線に対してのアクセスが困難であるという問題点が生じる。
そこで本発明では、以上に説明した問題点を解決することを課題とするものである。
【課題を解決するための手段】
【０００７】
上述した課題を解決するために本発明では、方形板体の一面側の四隅に脚用突部を設けると共に、他面側の四隅に支柱用突部を設けて支持部材を構成し、この支持部材を縦横に間隔を置いて配置して、夫々上記脚用突部により方形板体を床スラブの上方に支持すると共に、隣接する４つの方形板体の、隣接する４つの隅部の支柱用突部上に夫々のフロアパネルを載置することにより、フロアパネルを縦横に配置して支持する構成としたフロアパネルの支持機構を提案するものである。
【０００８】
また本発明では、上記の構成において、支持部材を絶縁体により構成することを提案する。
【発明の効果】
【０００９】
本発明では、フロアパネルの支持部材を構成する方形板体が床スラブの上方に支持され、そしてその上方空間は、四隅の支柱用突部がガイドとなるため、配線の敷設スペースとして使用することができる。
【００１０】
一方、隣接する支持部材間の床スラブの上方空間は、隣接する支持部材の脚用突部がガイドとなるため、配線の敷設スペースとして使用することができる。
【００１１】
このように本発明では、支持部材を構成する方形板体の上方空間と、支持部材間の床スラブの上方空間の両方を配線の敷設スペースとして使用することができ、これらの敷設スペースは上下方向と横方向に離隔しているため、一方側の敷設スペースに情報配線、他方側の敷設スペースに電源配線を敷設することにより、これらの配線を整然と敷設することができ、またいずれの側の敷設スペースも、フロアパネルを外すことにより容易にアクセスが可能であり、敷設されている配線の取り出し処理が容易に行える等、管理も容易である。更に、情報配線と電源配線を上下方向と横方向に離隔できるので電源配線からのノイズが情報配線に重畳されることによる電磁的な障害を回避することができる。
【００１２】
また本発明では、施設スペースとしての両方の上方空間は、夫々支柱用突部又は脚用突部３がガイドとしての作用をするので、例えば上記特許文献２、３に示される面状のガイドと比較して、配線の敷設に対しての自由度が高い。
【００１３】
本発明においては、支持部材を合成樹脂等の絶縁体により構成することにより、支持部材を介しての電磁誘導によるノイズの重畳も防ぐことができる。
【発明を実施するための最良の形態】
【００１４】
次に，本発明の実施の形態を図１〜図４を参照して説明する。
図１、図２は本発明に係るフロアパネルの支持機構の要部を示す断面図であり、この断面図は、図４のＣ−Ｃ線断面に対応するものである。また図３は本発明に係るフロアパネルの支持機構の主要な要素である支持部材を示すもので、（ａ）は平面図、（ｂ）、（ｃ）は、（ａ）の夫々Ａ−Ａ線、Ｂ−Ｂ線断面図である。また図４は本発明の支持機構により構成したＯＡフロアを一部切り欠いて示す平面図である。
【００１５】
図において符号１は支持部材を示すもので、この支持部材１は、方形板体２の一面側の四隅に脚用突部３（３ａ，３ｂ，３ｃ，３ｄ）を設けると共に、他面側の四隅に支柱用突部４（４ａ，４ｂ，４ｃ，４ｄ）を設けた構成である。
【００１６】
この実施の形態では、脚用突部３と支柱用突部４は、円柱状の突部として、方形板体２の上下面側の隅部の同位置に設けているが、位置を異ならせることもできる。また脚用突部３と支柱用突部４の夫々の高さや形状も適宜に構成することができる。
【００１７】
符号５は床スラブであり、この床スラブ５上に支持部材１を縦横に間隔を置いて配置して、夫々上記脚用突部３により方形板体２を床スラブ５の上方に支持すると共に、隣接する４つの方形板体２の、隣接する４つの隅部の支柱用突部４（右上から時計回りに４ｃ，４ｄ，４ａ，４ｂ）上にフロアパネル６を載置することにより、フロアパネル６を縦横に配置して支持することができる。即ち、フロアパネル６は一辺の長さが、方形板体２の一辺の長さと上記配置の間隔の和に等しい方形板体として構成している。尚、図３（ａ）、図４に示すように、支持部材１の方形板体２の四隅の脚用突部３及び支柱用突部４は、便宜上、図中、右上のものを添字ａを付して表し、時計回りに順次添字ｂ，ｃ，ｄを付して表している。
【００１８】
以上の構成において、本発明では、フロアパネル６の支持部材１を構成する方形板体２が床スラブ５の上方に支持され、そしてその上方空間７は、四隅の支柱用突部４ａ，４ｂ，４ｃ，４ｄがガイドとなるため、配線８の敷設スペースとして使用することができる。
【００１９】
一方、隣接する支持部材１間の床スラブ５の上方空間９は、隣接する支持部材１の脚用突部３ａ，３ｂ，３ｃ，３ｄがガイドとなるため、配線１０の敷設スペースとして使用することができる。
【００２０】
このように本発明では、支持部材１を構成する方形板体２の上方空間７と、支持部材１間の床スラブ５の上方空間９の両方を配線８、１０の敷設スペースとして使用することができ、これらの敷設スペース７、９は上下方向と横方向に離隔しているため、例えば、一方側の敷設スペース７に情報配線８、他方側の敷設スペース９に電源配線１０を敷設することにより、これらの配線８、１０を整然と敷設することができる。
【００２１】
この際、上方空間７、９は、夫々支柱用突部４又は脚用突部３がガイドとしての作用をするので、例えば上記特許文献２、３に示される面状のガイドと比較して、配線８、１０の敷設に対しての自由度が高い。
【００２２】
また図２に示すように、いずれの側の敷設スペース７、９も、フロアパネル６を外すことにより容易にアクセスが可能であり、敷設されている配線８、１０の取り出し処理が容易に行える等、管理も容易である。
【００２３】
更に、情報配線８と電源配線１０を上下方向と横方向に離隔できるので電源配線からのノイズが情報配線に重畳されることによる電磁的な障害を回避することができる。
【００２４】
更に本発明においては、支持部材１を合成樹脂等の絶縁体により構成することにより、支持部材１を介しての電磁誘導によるノイズの重畳も防ぐことができる。
【００２５】
尚、本発明において、支持部材１の方形板体２は、脚用突部３により床スラブ５の上方に支持されるため、方形板体２の下方にも空間が形成される。従って、配線の状況によっては、図４に示すように、方形板体２の下方空間１１を配線１０の敷設スペースとして使用することもできる。
【産業上の利用可能性】
【００２６】
本発明は以上の通りであるので以下に示すような特徴がある。
１．情報配線と電源配線とを分離して敷設することができることから、電気工事業者とＬＡＮ等の工事業者の取り合いが明確になってトラブルが起こりにくい。
２．従来技術のガイドを設けるものと比較して、配線用の敷設スペースを広く取ることが可能であり、負荷の増加に対応した増設等に容易に対応可能であると共に、施工性が良好である。
３．情報配線と電源配線を上下方向と横方向に離隔できるので電源配線からのノイズが情報配線に重畳されることによる電磁的な障害を回避することができる。
４．支持部材を合成樹脂等の絶縁体により構成することにより、支持部材を介しての電磁誘導によるノイズの重畳も防ぐことができる。
【００２７】
以上のことから本願発明は、オフィス等において情報配線と電源配線の床下処理を円滑に行えるＯＡフロアにおけるフロアパネルの支持機構として最適である。
【図面の簡単な説明】
【００２８】
【図１】本発明に係るフロアパネルの支持機構の要部を示すもので、図４のＣ−Ｃ線断面に対応する断面図である。
【図２】本発明に係るフロアパネルの支持機構において、フロアパネルの一部を外した状態を示す、図４のＣ−Ｃ線断面に対応する断面図である。
【図３】本発明に係るフロアパネルの支持機構の主要な要素である支持部材を示すもので、（ａ）は平面図、（ｂ）、（ｃ）は、（ａ）の夫々Ａ−Ａ線、Ｂ−Ｂ線断面図である。
【図４】本発明の支持機構により構成したＯＡフロアを一部切り欠いて示す平面図である。
【符号の説明】
【００２９】
１                            支持部材
２                            方形板体
３（３ａ，３ｂ，３ｃ，３ｄ）  脚用突部
４（４ａ，４ｂ，４ｃ，４ｄ）  支柱用突部
５                            床スラブ
６                            フロアパネル
７                            上方空間（敷設スペース）
８                            配線（情報配線）
９                            上方空間（敷設スペース）
１０                          配線（電源配線）
１１                          下方空間
【図１】
2008127972.tif 000003
【図２】
2008127972.tif 000004
【図３】
2008127972.tif 000005
【図４】
2008127972.tif 000006